(57)【要約】【課題】一体型保持器で割れやむしれ等を生じさせることなく、ころのピッチ円直径からの垂れ下がり量を小さく規制できるようにすることである。【解決手段】ころ３の両端面に凹部３ａを設けて、この凹部３ａに嵌まり込む凸部６を保持器４の各環状部４ａに機械加工で形成し、この凸部６をころ３の両端面の凹部３ａに、保持器４の半径方向に偏心させて嵌め込んで、ころ３のピッチ円直径Ｄからの垂れ下がり量を規制することにより、一体型保持器４で割れやむしれ等を生じさせることなく、ころ３のピッチ円直径Ｄからの垂れ下がり量を小さく規制できるようにした。【選択図】図１
2008057555.tif 000002
【特許請求の範囲】
【請求項１】
内輪と外輪の軌道面間に配列された複数のころを、これらのころの両端面の軸方向外側で環状に連なる２つの環状部と、これらの環状部を各ころ間で連結する複数の柱部とからなる一体型の保持器のポケットに保持したころ軸受において、前記ころの両端面に凹部を設けて、この凹部に嵌まり込む凸部を前記保持器の各環状部に機械加工で形成し、この凸部を前記ころの両端面の凹部に、保持器の半径方向に偏心させて嵌め込んで、ころのピッチ円直径からの垂れ下がり量を規制するようにしたことを特徴とするころ軸受。
【請求項２】
前記保持器の半径方向に偏心させて凹部に嵌め込んだ凸部と凹部との円周方向片側での隙間を、前記ポケットと前記ころとの円周方向隙間の半分よりも大きくした請求項１に記載のころ軸受。
【請求項３】
前記保持器の各環状部の凸部に、前記ころの両端面の凹部へ嵌め込む際に、ころの両端面への乗り上げを案内する傾斜面を設けた請求項１または２に記載のころ軸受。
【請求項４】
前記保持器を金属の削り出しで形成した請求項１乃至３のいずれかに記載のころ軸受。
【請求項５】
前記凸部の傾斜面にめっきを施した請求項４に記載のころ軸受。
【発明の詳細な説明】
【技術分野】
【０００１】
本発明は、２つの環状部を複数の柱部で連結した一体型の保持器を用いたころ軸受に関する。
【背景技術】
【０００２】
円筒ころ軸受、円錐ころ軸受、自動調心ころ軸受等のころ軸受には、内外輪の軌道面間に配列された複数のころの両端面の軸方向外側で環状に連なる２つの環状部と、これらの環状部を各ころ間で連結する複数の柱部とからなる一体型の保持器が多く用いられている。このような一体型保持器を用いたころ軸受では、軸受の組み立ての際に、保持器のポケットに保持したころが保持器半径方向へ垂れ下がって内輪や外輪の端面に引っ掛からないように、保持器の柱部にころの胴部を支持する爪等の突出部を一体に形成し、ころのピッチ円直径からの垂れ下がり量を規制するようにしたものがある（例えば、特許文献１参照）。特許文献１に記載されたものでは、爪を曲げ加工することによって、ころの垂れ下がり量を規制するようにしている。なお、ころの胴部を支持する柱部の突出部を、曲げ加工等の塑性加工でなく、機械加工によって形成したものもある。
【０００３】
なお、一体型保持器ではないが、ころの両端面に凹部を設け、この凹部に嵌まり込む凸部を一対の環状側板に設け、これらの環状側板を連結ボルトや薄板状のステーで連結して、ころの両端部を支持するようにした分割型の保持器もある（例えば、特許文献２、３参照）。
【０００４】
【特許文献１】実開平５−１２７５３号公報
【特許文献２】米国特許第４０９９８０３号明細書
【特許文献３】特開２０００−１４５７８９号公報
【発明の開示】
【発明が解決しようとする課題】
【０００５】
特許文献１に記載されたように、柱部に曲げ加工等の塑性加工で突出部を形成し、ころの胴部を支持してその垂れ下がり量を規制する一体型保持器を用いたころ軸受は、曲げ加工等の調節で、ころのピッチ円直径からの垂れ下がり量を小さく規制できるが、塑性加工によって保持器に割れやむしれ等が生じる恐れがある。また、突出部を機械加工で形成する場合は、このような割れやむしれ等が生じる恐れはないが、曲面で形成されたころの胴部に接近させて突出部を形成するのが難しく、ころの垂れ下がり量を小さく規制でき難い問題がある。
【０００６】
一方、特許文献２、３に記載されたように、一対の環状側板を連結ボルトやステーで連結した分割型保持器を用い、環状側板に設けた凸部をころの両端面に設けた凹部に嵌め込んで、ころの両端部を支持するようにしたころ軸受は、ころのピッチ円直径からの垂れ下がり量を小さく規制できるが、例えば、航空機エンジン等のタービン軸を支持するもののように、高速回転で使用されると、振動等によって連結ボルトやステーが外れる恐れがある。
【０００７】
そこで、本発明の課題は、一体型保持器で割れやむしれ等を生じさせることなく、ころのピッチ円直径からの垂れ下がり量を小さく規制できるようにすることである。
【課題を解決するための手段】
【０００８】
上記の課題を解決するために、本発明は、内輪と外輪の軌道面間に配列された複数のころを、これらのころの両端面の軸方向外側で環状に連なる２つの環状部と、これらの環状部を各ころ間で連結する複数の柱部とからなる一体型の保持器のポケットに保持したころ軸受において、前記ころの両端面に凹部を設けて、この凹部に嵌まり込む凸部を前記保持器の各環状部に機械加工で形成し、この凸部を前記ころの両端面の凹部に、保持器の半径方向に偏心させて嵌め込んで、ころのピッチ円直径からの垂れ下がり量を規制する構成を採用した。
【０００９】
すなわち、ころの両端面に凹部を設けて、この凹部に嵌まり込む凸部を保持器の各環状部に機械加工で形成し、この凸部をころの両端面の凹部に、保持器の半径方向に偏心させて嵌め込んで、ころのピッチ円直径からの垂れ下がり量を規制することにより、一体型保持器で割れやむしれ等を生じさせることなく、ころのピッチ円直径からの垂れ下がり量を小さく規制できるようにした。
【００１０】
前記保持器の半径方向に偏心させて凹部に嵌め込んだ凸部と凹部との円周方向片側での隙間を、前記ポケットと前記ころとの円周方向隙間の半分よりも大きくすることにより、軸受の使用中に保持器の凸部がころと接触するのを防止することができる。
【００１１】
前記保持器の各環状部の凸部に、前記ころの両端面の凹部へ嵌め込む際に、ころの両端面への乗り上げを案内する傾斜面を設けることにより、凸部を容易に凹部へ嵌め込むことができる。
【００１２】
前記保持器を金属の削り出しで形成することにより、高温環境で使用される軸受に適用することができる。
【００１３】
前記凸部の傾斜面にめっきを施すことにより、凸部を凹部へ嵌め込む際にころの端面への乗り上げさせるときの焼付きを防止することができる。なお、めっきとしては、金めっき、銀めっき、ニッケルめっき、クロムめっき等を採用することができる。
【発明の効果】
【００１４】
本発明のころ軸受は、ころの両端面に凹部を設けて、この凹部に嵌まり込む凸部を保持器の各環状部に機械加工で形成し、この凸部をころの両端面の凹部に、保持器の半径方向に偏心させて嵌め込んで、ころのピッチ円直径からの垂れ下がり量を規制するようにしたので、一体型保持器で割れやむしれ等を生じさせることなく、ころのピッチ円直径からの垂れ下がり量を小さく規制することができる。
【００１５】
前記保持器の半径方向に偏心させて凹部に嵌め込んだ凸部と凹部との円周方向片側での隙間を、ポケットところとの円周方向隙間の半分よりも大きくすることにより、軸受の使用中に保持器の凸部がころと接触するのを防止することができる。
【００１６】
前記保持器の各環状部の凸部に、ころの両端面の凹部へ嵌め込む際に、ころの両端面への乗り上げを案内する傾斜面を設けることにより、凸部を容易に凹部へ嵌め込むことができる。
【００１７】
前記保持器を金属の削り出しで形成することにより、高温環境で使用される軸受に適用することができる。
【００１８】
前記凸部の傾斜面にめっきを施すことにより、凸部を凹部へ嵌め込む際にころの端面への乗り上げさせるときの焼付きを防止することができる。
【発明を実施するための最良の形態】
【００１９】
以下、図面に基づき、本発明の実施形態を説明する。このころ軸受は、図１（ａ）、（ｂ）に示すように、内輪１と外輪２の軌道面１ａ、２ａ間に配列された複数の円筒ころ３を、ころ３の両端面の軸方向外側で環状に連なる２つの環状部４ａと、これらの環状部４ａを各ころ３間で連結する複数の柱部４ｂとからなる一体型の保持器４のポケット５に保持した円筒ころ軸受であり、ころ３の両端面の中心部に円形の凹部３ａが設けられ、保持器４の環状部４ａに凸部６が機械加工で形成されて、この凸部６がころ３の両端面の凹部３ａに、保持器４の半径方向外径側に偏心させて嵌め込まれている。
【００２０】
前記ころ３が内輪１と外輪２の軌道面１ａ、２ａ間でピッチ円直径Ｄ上に配列されているときに、ころ３の端面の凹部３ａの外径側縁と保持器４の環状部４ａの凸部６との隙間Ａは、後述するように軸受を組み立てる際に、ころ３のピッチ円直径Ｄからの垂れ下がり量を小さく規制して、内輪１の端面に引っ掛からないようにするために、所定の値に設定されている。また、保持器４の凸部６ところ３の凹部３ａとの円周方向片側での隙間Ｂは、軸受の使用中に凸部６がころ３と接触するのを防止するために、ポケット５ところ３との円周方向隙間の半分よりも大きく設定されている。
【００２１】
前記保持器４は外輪案内されるものであり、図２に示すように、軸受を組み立てる際には、ころ３を保持した状態で外輪２と一緒に内輪１に組み付けられる。このとき、保持器４から垂れ下がるころ３が内輪１の端面に引っ掛からないように、前記隙間Ａが小さく設定されている。なお、保持器４が内輪案内されるものの場合は、凸部６を保持器４の半径方向内径側に偏心させて凹部３ａに嵌め込み、凹部３ａの内径側縁と凸部６との隙間を小さく設定すればよい。
【００２２】
前記保持器４は鋼の削り出しで形成され、図３（ａ）、（ｂ）に示すように、環状部４ａの内側面には、環状部４ａの外側への弾性変形を容易にするための円弧状の抉り部７が設けられ、この抉り部７の中央に凸部６が形成されている。この凸部６は内径側側面が傾斜面６ａで形成され、この傾斜面６ａに銀めっき８が施されている。
【００２３】
図４は、前記ころ３を外輪２の内側にセットした保持器４に組み込む状態を示す。ころ３は保持器４の内径側からポケット５に組み込まれ、まず、保持器４の凸部６の内径側側面の傾斜面６ａにころ３の両端部を押し当てて、傾斜面６ａで案内しながら凸部６をころ３の両端面に乗り上げさせる。このとき、抉り部７を設けられた環状部４ａが外側へ弾性変形するとともに、ころ３の両端部が銀めっき８を施された傾斜面６ａに案内されて、凸部６が焼付き等を生じることなくスムーズにころ３の両端面に乗り上げる。こののち、さらにころ３を押し込むことにより、凸部６がころ３の両端面の凹部３ａに嵌まりこんで、ころ３が保持器４のポケット５に保持される。
【００２４】
上述した実施形態では、ころ軸受を円筒ころ軸受としたが、本発明に係るころ軸受は、ころが環状部と柱部とからなる一体型保持器に保持されるものであればよく、円錐ころ軸受や自動調心ころ軸受等にも適用することができる。
【図面の簡単な説明】
【００２５】
【図１】ａはころ軸受の実施形態を示す縦断面図、ｂはａのIb−Ib線に沿った断面図
【図２】図１のころ軸受を組み立てる状態を示す縦断面図
【図３】ａは図１の保持器の部分展開平面図、ｂはａのIIIb−IIIb線に沿った断面図
【図４】図１のころを保持器に組み込む状態を示す縦断面図
【符号の説明】
【００２６】
１  内輪
２  外輪
１ａ、２ａ  軌道面
３  ころ
３ａ  凹部
４  保持器
４ａ  環状部
４ｂ  柱部
５  ポケット
６  凸部
６ａ  傾斜面
７  抉り部
８  銀めっき
【図１】
2008057555.tif 000003
【図２】
2008057555.tif 000004
【図３】
2008057555.tif 000005
【図４】
2008057555.tif 000006